(57)【特許請求の範囲】
【請求項１】
光線を新鮮な組織試料に投射するように構成された光源と、
空間周波数と、それに関連する位相シフトとを含む複数の照明パターンに従って、光線を変調する空間光変調器と、
を備える、構造化された光システムと、
前記複数の照明パターンの組み合わせに対する顕微鏡画像を、照射された新鮮な組織試料から放出される蛍光から生成するように構成されたイメージングシステムと、
前記顕微鏡画像に基づいて、医療処置に関連する、人間が理解できて臨床的に有用な出力を提供するように構成されたシステム制御部と、
を備え、前記複数の照明パターンは、焦点外の光を低減することによって前記顕微鏡画像のコントラストを改善する、システム。
【請求項２】
前記システム制御部は、前記新鮮な組織試料中の細胞を、健康な細胞または疾患のある細胞として分類するために、前記顕微鏡画像に自動画像分類アルゴリズムを適用するように構成され、
前記人間が理解できて臨床的に有用な出力は、前記新鮮な組織試料中の分類された細胞に基づく、
請求項１に記載のシステム。
【請求項３】
前記システム制御部は、前記照射された新鮮な組織試料から放出される前記蛍光からの前記画像に高域通過フィルターを適用するようにさらに構成されている、請求項１に記載のシステム。
【請求項４】
前記光源は、
発光ダイオードと、
前記発光ダイオードからの光を集め、集められた光を空間光変調器に提供するように配置された集光レンズと、
を含む、請求項１に記載のシステム。
【請求項５】
前記光源は、
レーザーと、
前記レーザーからの光線の光路に配置されたビーム拡大器と、
を含む、請求項１に記載のシステム。
【請求項６】
前記空間光変調器は、シリコンデバイス上の強誘電性液晶、デジタルマイクロミラーデバイス、シリコンデバイス上のねじれネマチック液晶、機械的なグレーティングデバイス、および物理的なマスクデバイスのうちの１つを含む、請求項１に記載のシステム。
【請求項７】
照明下で蛍光を発するように組織試料を準備し、
同じ空間周波数とそれに関連する固有の位相シフトとを含む、第１の空間パターンを含む光と第２の空間パターンを含む光とを前記組織試料に投射し、
前記第１の空間パターンの光と前記第２の空間パターンの光により、前記組織試料から放出される蛍光を画像化し、
前記第１の空間パターンの光による前記蛍光と前記第２の空間パターンの光による前記蛍光とを組み合わせることによって、顕微鏡画像を生成し、
前記顕微鏡画像に基づいて、人間が理解できて臨床的に有用な出力を提供すること
を含む、方法。
【請求項８】
前記組織試料を準備することは、アクリフラビン、アクリジンオレンジ、ミョウバン−テトラサイクリン、エオシン、ＤＲＡＱ５（商標）、ピクリン酸、および酸フクシンを含む群から選択される蛍光色素を前記組織試料に適用することを含む、請求項７に記載の方法。
【請求項９】
前記蛍光色素を適用することが、噴霧、ドリッピング、ディッピング、およびポーリングのうちの少なくとも１つによって、前記色素を前記試料に適用することを含む、請求項８に記載の方法。
【請求項１０】
前記蛍光色素を前記組織試料に適用することは、マルチカラー・マルチステインプロセスの一部として、前記群から選択される少なくとも２種類の色素を適用することを含む、請求項８に記載の方法。
【請求項１１】
前記光は、同じ空間周波数を有し、前記第２の空間パターンは２πの関数として位相シフトを生じる、請求項７に記載の方法。
【請求項１２】
前記顕微鏡画像の強度が、一組の画像の強度に基づいている、請求項１１に記載の方法。
【請求項１３】
前記試料から放出される前記蛍光を画像化して、前記一組の画像のうち特定の画像を提供することは、
前記試料と、イメージングシステムの少なくとも一部とを、第１の相対位置に配置し、
前記試料上の第１の位置から放出される蛍光を表す第１の成分画像を捕捉し、
前記試料と、イメージングシステムの少なくとも一部とを、第２の相対位置に配置し、
前記組織試料上の第２の位置から放出される蛍光を表す第２の成分画像を捕捉し、
少なくとも前記第１の成分画像と前記第２の成分画像とを組み合わせて、前記特定の画像を提供すること
を含む、請求項１１に記載の方法。
【請求項１４】
前記第１の成分画像を捕捉することと、前記第２の成分画像を捕捉することの各々は、前記イメージングシステムにオートフォーカスルーチンを適用することを含む、請求項１３に記載の方法。
【発明の詳細な説明】
【技術分野】
【０００１】
本発明は、医療用イメージングシステムに関し、特に、構造化照明を用いた組織試料の顕微鏡観察に関する。
【背景技術】
【０００２】
新鮮な組織検体を取得して診断ができるようにするまでの工程数を削減する、一層迅速な組織学的処理方法によって、臨床上の多くの状況に利点が生じ得るであろう。たとえば、がんが患者の体内に残ってしまうのを防止すべく外科的手技を適時に変更できるように、陽性腫瘍縁として知られる腫瘍切除検体の表面で残存がんを迅速検出する病理学手法に需要がある。腫瘍の切除は、固形がんでは極めて一般的な治療法であり、その場合に外科医は、がんの再発リスクを最小限にするために、全ての疾患組織を患者から除去しなければならない。多くのタイプのがん、特に、転移が起きていないがんでは、外科的に完全除去することで最も予後が良好となる。ほとんどの場合、これらの外科手術または腫瘍切除の目標は、がんのない（すなわち陰性の）外科的縁を達成することによって、腫瘍の局所再発のリスクを低減することにある。外科的縁の状態は、乳がん、脳がん、口腔がん、頭頸部がん、肝臓がん、食道がん、結腸直腸がん、前立腺がん、子宮頸がんを含むいくつかのがんのみならず、四肢、胴、頭頸部領域に局在する軟部組織肉腫において、局所再発の強力な予測因子であることがわかっている。
【０００３】
現在、腫瘍の完全な除去を保証すべく腫瘍縁の診断時に外科医を補助するのに利用できる術中ツールは、極めて少数しかない。捺印細胞診および凍結切片分析が、いくつかのクリニックで現在実施されている２つの術中ツールであるが、いずれも熟練した病理学者や他の資源を必要とする。外科的な腫瘍切除用の術中病理学は費用と時間のかかるものであり、結果として、米国内の一握りの手術センターで利用できるのみである。このため、外科的縁の顕微鏡的な特性をすみやかに観察できる効果的な術中ツールには、いまだ満たされていない明らかな臨床需要がある。光学イメージング技術は、害のない状態で、潜在的にはその場で縁の全体を術中に画像化できるため、この用途には特に魅力的である。
【０００４】
蛍光顕微鏡観察法を適切なバイオマーカーと組み合わせて、核特異的な追加のコントラストを生成し、それによって、核の大きさと密度の定量を可能にすることができる。従来の蛍光顕微鏡観察法では、視野全体が均一に励起光で照らされる。これによって、焦点面の外にあるフルオロフォアも励起されてフォトンを放出し、かなりの量の不要なバックグラウンド蛍光が生成されるという問題が生じる。このことは、ひいては着目している特徴要素の焦点面内におけるコントラストを大幅に落としてしまう。これは、広視野蛍光顕微鏡に共通の問題であり、蛍光共焦点顕微鏡観察法など、バックグラウンド蛍光を低減するためのいくつかの特別な技術が存在する。バックグラウンド蛍光を低減する上では効果的であるが、共焦点顕微鏡観察法は、調節可能なピンホール集光および迅速走査ミラーの形としての特別な光学系を必要とする。そのことがコスト上昇と速度低下の原因となり、これが術中用途での臨床的な実現可能性を妨げている。また、それぞれの光線走査位置で集められるフォトンの量には限度があるため、このシステムには光電子増倍管などの感受性の検出器が必要である。さらに、視野が小さいため、平方ミリメートル台から平方センチメートル台程度の領域を調べられるようにするのに、光線位置をラスター走査する必要もある。
【発明の概要】
【０００５】
本発明の一態様によれば、医療処置の間に、照明下で蛍光を発するように準備された新鮮な組織試料を評価するためのシステムが提供される。空間的にパターン化された光線を新鮮な組織試料に投射するように、構造化光源が構成される。照射された新鮮な組織試料から放出される蛍光から画像を生成するように、イメージングシステムが構成される。医療処置に関連する、人間が理解できて臨床的に有用な出力を提供するように、システム制御部が構成される。
【０００６】
本発明のもうひとつの態様によれば、医療処置の間に採取された組織試料を迅速に評価するための方法が提供される。照明下で蛍光を発するように組織試料が準備される。空間的にパターン化された照明が組織試料に投射される。医療処置の間に試料から放出される蛍光が画像化される。人間が理解できて臨床的に有用な出力が提供される。
【０００７】
本発明のさらに別の態様によれば、医療処置の間に新鮮な組織試料を評価するための方法が提供される。前記医療処置の間に、照明下で蛍光を発するように組織試料が準備される。複数の空間光パターンが、組織試料内の焦点面に投射される。複数の空間光パターンの各々が組織試料に投射されると試料から放出される蛍光が画像化される。医療処置の間に、複数の画像が組み合わされて臨床画像が提供される。
【図面の簡単な説明】
【０００８】
【図１】図１は、本発明の一態様による、新鮮な組織試料を画像化するためのシステムを示す。
【図２】図２は、本発明の一態様による、新鮮な試料を画像化するための顕微鏡観察システムの一例の概略を示す。
【図３】図３は、準備されたファントムについて、図２に示すシステムの軸応答の半値全幅（ＦＷＨＭ）の実測値および理論値を、正規化空間周波数の関数として取ったプロットを示す。
【図４】図４は、均一な信号対雑音比（ＳＮＲ）と区間ＳＮＲとの比を、変調深度に対して取ったプロットを示す。
【図５】図５は、構造照明顕微鏡観察法（ＳＩＭ）を使用する場合と使用しない場合で画像化された、準備されたファントムの２枚の画像を示す。
【図６】図６は、図５のＳＩＭ画像におけるＳＢＲが、これに匹敵するフレームレートを用いた場合の他の画像と比して増加していることを示す棒グラフである。
【図７】図７は、医療処置の間に採取された組織試料を迅速に評価するための方法を示す。
【図８】図８は、図１〜図７に開示されたシステムおよび方法の例を実施できるハードウェアコンポーネントの例示的なシステムを示す概略ブロック図である。
【発明を実施するための形態】
【０００９】
本発明は、無傷の手術検体および生検検体に対する迅速かつ高エリアスループットでの蛍光顕微鏡観察法の設計要件を考慮して開発された、ビデオレートインコヒーレント構造化照明顕微鏡法に基づく、次世代の迅速光学薄切検体スキャナー（Rapid Optical Sectioning Specimen Scanner）の開発について開示する。本発明の一態様によるイメージングシステムは、被検者から採取した直後に、新鮮な組織を画像化して臨床的に有用な試料を与える機能を提供する。「新鮮な」とは、試料の画像化と同時になされる医療処置の間に、組織が採取または露出されていることを意味する。換言すると、新鮮な試料は、処置の間に患者から採取された組織でもよいし、患者の体内に存在するままであるが医療処置の過程で接触できる状態になった組織であってもよい。新鮮な試料が従来の調製試料よりもかなり厚くなり、イメージングプロセスの課題を増すであろうことは、理解できるであろう。「臨床的に有用な」とは、画像が、イメージングと同時になされる医療処置に関連して意味のある臨床判断を可能にできるだけの十分な分解能を持たなければならないことを意味する。たとえば、がんに対する周知のホールマークとして、悪性組織での増殖率の増加がゆえに細胞核密度が高まることがある。採取したばかりの組織試料で腫瘍縁を探している外科医に意味のある指標を与えるには、画像が、個々の細胞核（直径は１０マイクロメートル台である）の場所を高信頼度で特定できるだけの十分な分解能を持つ必要がある。
【００１０】
この目的のために、構造化照明法を適切な事後処理とともに利用して、新鮮な組織試料の高分解能・迅速画像を提供する。ここに開示の方法は、効果的に焦点外の蛍光を低減して単核を単離できるだけの十分な面内分解能および光学切片厚と、大きな腫瘍切除縁または他の大きな外科病理検体をカバーできるように適度にスケール調整できる視野と、を有する。本発明では、進行中の医療処置の間に試料の完全分析を可能にできるだけの十分なスループットで、蛍光試料の光学的に分割された高分解能画像を達成するのに、迅速デジタル空間光変調器と相補型金属酸化膜半導体（ＣＭＯＳ）カメラ技術を使用する。本明細書では１つ以上の好ましい実施形態の詳細な説明を提供するが、本発明はさまざまな形態で実施できることは、理解されたい。したがって、本明細書に開示の具体的な詳細は限定的なものであるとは解釈されず、むしろ、特許請求の範囲の根拠として、かつ、本発明を適切な任意の方法で用いる当業者に対する教示の代表的な根拠として解釈されるものである。この目的のために、「たとえば」、「などの」、「含む（including）」といった表現のいずれかが本明細書で用いられる場合は常に、別段の明示的な記載がないかぎり、「および限定されることなく」という表現が続くものと理解される。同様に、「一例」、「例示的な」なども、より広義の発明概念の具体的な実施形態の詳細をいうものと理解され、特許請求の範囲に記載の範囲を限定することを意図したものではない。
【００１１】
「実質的に」という用語は、意図した目的に負の影響をあたえない、記述子からのずれを許容する。このため、たとえば「ここで、レバーは垂直に延在する」という言い回しは、レバーがその機能を果たす上で厳密に垂直な配置が必要でないかぎり、「ここで、レバーは実質的に垂直に延在する」を意味する。「含む（comprising）」および「含む（including）」および「有する（having）」および「包含する（involving）」などは（同様に、「含む（comprises）」、「含む（includes）」、「有する（has）」、「包含する（involves）」も）同義に用いられ、同じ意味を有する。具体的には、それぞれの語は、「少なくとも以下のもの」を意味するオープンな語として用いられ、追加の特徴、限定、態様など除外しない。よって、たとえば「工程ａ、ｂ、ｃを包含するプロセス」は、このプロセスが、少なくとも工程ａ、ｂ、ｃを含むことを意味する。「a」または「an」という語が用いられるときは常に、文脈から「１つ以上の」という解釈が無意味でないかぎり、そのように理解される。
【００１２】
図１は、本発明の一態様による、新鮮な組織試料１２を画像化するためのシステム１０を示す。組織試料１２は、光が照射されると蛍光を放出するように準備されていることは理解できるであろう。一実施形態では、組織試料１２は、その場での画像化あるいは体内からの組織採取時における画像化用に、組織を強調する非毒性蛍光造影剤を使用して、in vivoで準備すればよい。もうひとつの実施形態では、組織試料１２を体内から採取した後、これに蛍光色素を適用する。たとえば、蛍光色素は、アクリフラビン、アクリジンオレンジ、ミョウバン−テトラサイクリン、エオシン、ピクリン酸、ＤＲＡＱ５（商標）、酸フクシンを含む群から選択される。もうひとつの例では、マルチカラー・マルチステインプロセスの一部として、この群から少なくとも２種類の色素が選択される。蛍光色素は、任意に、噴霧、ドリッピング、ディッピング、またはポーリングのうちの少なくとも１つによって適用されてもよい。
【００１３】
システム１０は、特定のパターンを有する光線を組織試料に照射するように構成された構造化光源３４を含む。一実施形態では、構造化光源１４は、レーザーおよび空間光変調器を含んでもよく、レーザービームを変調器に照射または変調器を介して照射し、かつ試料上にも照射してビームの所望のスペクトル特性を維持するための、適当な光学素子を伴ってもよい。もうひとつの実施形態では、構造化光源１４は、発光ダイオード（ＬＥＤ）または他のインコヒーレント光源（たとえば、ランプなど）と、光を空間光変調器に投射または空間光変調器を介して投射し、かつ組織試料１２上にも投射して光の所望のスペクトル特性を維持するための、１つ以上の集光レンズおよび適切な光学素子と、を含んでもよい。一例では、試料に干渉縞を投射するために、空間光変調器を、コヒーレント照明を使用して光源の位相または振幅を変調するよう構成可能である。もうひとつの例では、インコヒーレント光源を使用して、この光を空間光変調器で反射させたり空間光変調器を通過させたりすることが可能であり、あるいは、空間光変調器ディスプレイの像を試料に投射してもよい。
【００１４】
照射された組織試料１２から放出された蛍光を、その後、イメージングシステム１６で画像化する。イメージングシステム１６は、カメラなどの撮像装置に加えて、蛍光を撮像装置に導いて無関係な光を濾波するための適当な光学素子を含んでもよいことは、理解できるであろう。一実施形態では、構造化光源１４は、組織試料内の特定の面で空間光パターンを投射するように構成され、イメージングシステム１６は、焦点面が照射面と一致するように構成される。
【００１５】
次に、試料蛍光の画像をシステム制御部１８に提供し、当該画像から、ユーザーに対する表示用の、人間が理解できて臨床的に有用な出力を生成可能である。一実施形態では、システム制御部１８は、試料１２に一連の空間パターンを投射するよう構造化光源１４に指示し、一連の空間パターンの各々と関連した少なくとも１つの画像を捕捉するようイメージングシステム１６に指示できる。もうひとつの実施形態では、システム制御部１８は、画像に高域通過フィルターを適用し、細胞核および他の特徴を画像から分離する。あるいはまたはこれに加えて、システム制御部１８は、組織試料を複数のクラスのうちの１つにカテゴリー分けするための自動画像分類アルゴリズムを含んでもよい。たとえば、システムが画像内の異常な細胞と正常な細胞を識別できるように、これらのクラスは、組織試料が癌性の組織を含む尤度を表してもよい。
【００１６】
自動画像分類アルゴリズムは、たとえば、１つ以上の分類モデルを含んでもよく、これをそれぞれの関連の結果および信頼値から適当な仲裁スキームによって組み合わせてもよい。これらの分類モデルは、人工ニューラルネットワーク、回帰モデル、サポートベクターマシーン、アンサンブル学習モデル、決定木を含み得る。
【００１７】
単独で使用してもよいし、前述の高域通過フィルターおよび自動画像分類アルゴリズムと併用してもよい他の実施形態では、一連の空間パターンに関連する画像の合成として、臨床画像を生成してもよい。一例において、構造化光源１４は、関連の空間周波数を有する第１の空間パターンと、第１の空間パターンと同じ空間周波数を有するが、位相が第１の量（たとえば、２π／３）だけシフトしている第２の空間パターンと、第１の空間パターンと同じ空間周波数を有するが、位相が第２の量（たとえば、４π／３）だけシフトしている第３の空間パターンとを生成するよう指示されてもよい。これらの空間パターンの各々について画像を捕捉し、以下のように組み合わせて、３枚の画像における対応する画素の強度値Ｉ1、Ｉ2、Ｉ3の関数として画素ごとに強度値Ｉsを有する臨床画像を提供する。
【数１】
0006416887.tif 000002
【００１８】
図示のイメージングシステム１０は、多数の利点を提供する。たとえば、ＳＩＭイメージングの撮像速度が、大幅に高められる。一実施形態では、システム１０は、ＳＩＭフレーム１つあたり３枚の生画像を用いて、ＳＩＭイメージングの１フレームあたり２０４８×２０４８画素で、ＳＩＭフレームレート２６．９Ｈｚに対応する画素サンプリングレート１１２．８ＭＨｚを達成できる。撮像速度は、臨床的可能性と直接関係する。目標は短時間かつ高分解能で大きなエリアをカバーすることであるため、システム１０は、画素サンプリングレートに焦点を絞っている。本発明者は、スイッチング時間がマイクロ秒単位の強誘電性ＳＬＭおよびフレームレート１００ＨｚのｓＣＭＯＳカメラなどのコンポーネントを賢く選択し、なおかつ、カメラとＳＬＭパターンディスプレイとの間の同期を最適化するための制御ソフトウェア１８を慎重に開発することの両方によって、これを達成した。
【００１９】
さらに、システム１０は、試料上のイメージングシステムの各位置でオートフォーカスを実施するための方法を含む。システム１０は、新鮮で無傷の検体を画像化するように構成されているため、標的は通常、平らではない。表面輪郭を連続的に画像化できるようにするために、システム制御部１８は、モザイクの各位置で組織表面をフォーカスするための自動オートフォーカスルーチンを提供する。これによって、高分解能で一貫したモザイクが可能になる。なぜなら、１つの検体を画像化するために数千回にわたってシステムを手動でフォーカスさせるのは、人間にとって実用的ではないからである。
【００２０】
図２は、本発明の一態様による、新鮮な試料５２を画像化するための顕微鏡観察システム５０の一例の概略を示す。この例のシステムは、電動ＸＹステージおよびコントローラーを採用したモジュール式自動落射蛍光顕微鏡プラットフォームと、対物レンズアセンブリ５４の再位置決めに用いられる、圧電素子を用いた対物レンズのＺ軸調整装置と、を利用している。このため、図示のシステム５０は、顕微鏡プラットフォームを平行移動させ、得られる画像からモザイクを形成することによって、単一のフレームよりも視野が大きい試料から画像を提供できる。これは、一実施形態では、カメラセンサーの大きさと対物レンズアセンブリ５４によって提供される拡大率に応じて定義される適切な増分で、サーペンタイン方式またはラスター方式の走査を用いて試料をＸ方向およびＹ方向に平行移動させることによって、達成可能である。
【００２１】
図示のシステムでは、光源５６は、非球面コンデンサーレンズによって集光される青色発光ダイオード（ＬＥＤ）を含む。しかしながら、たとえばレーザーおよび関連のビーム拡大器によるなど、他の方法で光を提供することもできるのは理解できるであろう。集められた光はその後、偏光ビームスプリッター（ＰＢＳ）５８を介して伝達される。この光はさらに、空間光変調器（ＳＬＭ）６０に送られる。空間光変調器６０は、たとえば、シリコンデバイス上の強誘電性液晶、デジタルマイクロミラーデバイス、シリコンデバイス上のねじれネマチック液晶、機械的なグレーティングデバイス、物理的なマスクデバイスを含んでもよい。空間光変調器６０は、反射モードで動作可能であるし、空間光変調器を伝達モードで動作させてもよい。空間光変調器６０は、空間光変調器からの光出力が定義された空間パターンを有するように、光源ビームの強度および位相のうちの一方または両方を変調する。
【００２２】
図示の実施形態では、光は、試料面と対になった面に配置される強誘電ＬＣＯＳ空間光変調器６０で画像化される。ＬＥＤ出力は、パターンのコントラストを増し、照明の均一性を増し、エテンデュを最大にするために、空間光変調器６０で画像化される。図示の実施形態では、空間光変調器６０は、空間光変調器で反射した光が、以下の式で表される正弦パターンで、次元ｘが変動して明るさｓiを有するように構成されている。
【数２】
0006416887.tif 000003
【００２３】
式中、ｍは変調深度であって、０と１との間で変動し、ｖは明るさのバリエーションの空間周波数であり、φtは特定パターンの位相シフトである。変調深度と空間周波数は各々、特定の用途に特有のパターンを形成するために、ユーザーによって選択される。
【００２４】
励起光は、変調された後、コントラストを改善するためのクリーンアップ偏光子６２と、第１のチューブレンズ６４と、励起用バンドパスフィルター６６を通過する。濾波された励起光は、ダイクロイックミラー７０によって反射して対物レンズアセンブリ５４に入射し、空間光変調器６０に関連する空間パターンの画像を試料上に形成する。いくつかの実施形態では、対物レンズアセンブリ５４の上に配置された熱出力センサーを用いて、試料におけるおおよその電力を監視してもよい。試料からの蛍光は、対物レンズアセンブリ５４によって集光され、ダイクロイックミラー７０を介して伝達されて発光用バンドパスフィルター７２に入射する。その後、この蛍光は、第２のチューブレンズ７４によってサイエンティフィックＣＭＯＳカメラ７６上に画像化される。
【００２５】
図示のシステム５０の一実施形態では、光源５４、ＳＬＭ  ６０、ステージ、対物レンズ、カメラ７６の同期と制御は、システム制御部８０において非一過性のコンピューター媒体に格納されたカスタムソフトウェアによって達成された。たとえば、画像化の前に、ソフトウェアで正弦格子パターンが生成され、ＳＬＭ  ６０のオンボードメモリーにアップロードされた。ＳＩＭ画像の計算と、画像を組み合わせてモザイクにすることは、撮像手順の間にカスタムソフトウェアによって自動で行うことが可能である。照明５６、５８、６０、６２、６４、６６用の光路を含むコンポーネントを含む自蔵型の構造化照明モジュールを、顕微鏡プラットフォームに取り付けると、システム全体が、幅４フィート、深さ３フィートのカスタム仕様の車輪付き仕事台に快適にフィットする。
【００２６】
本発明の一態様によれば、システム制御部８０は、顕微鏡プラットフォーム、光源５６、ＳＬＭ  ６０、ＣＭＯＳカメラ７６を同期させることができる。具体的には、対物レンズアセンブリ５４と試料５２の相対位置を、ＣＭＯＳカメラ７６の視野によって画定される精密な増分でもって調節可能であり、モザイク画像を形成して試料全体を表すことが可能である。本発明者は、３つのコンポーネント５６、６０、７６を慎重に同期させることで、実質的にアーチファクトのないモザイク画像を提供できることを見いだした。
【００２７】
一実施形態では、ＳＬＭ  ６０は、８ビットのビットプレーン重み付けモードで動作可能であり、パターンディスプレイは、システム制御部８０によってカメラの露光と同期された。ＳＬＭ  ６０の強誘電性液晶ディスプレイは、ＤＣバランシングモードで動作した。このモードでは、それぞれの画素が正の方向と負の方向に同じ時間幅だけ駆動される。このため、パターン間のコントラストを維持するために、光源５６は、ディスプレイサイクルの正の部分の間にＳＬＭに光をあてるだけのためにトリガーされた。インターナルトリガーモードでの最大の全分解能カメラフレームレートである約１００フレーム／秒（ｆｐｓ）で、対応する全分解能ＳＩＭフレームレートは、約１００／３＝３３ｆｐｓであった（式１に示されるように、１つのＳＩＭフレームに３つの連続したフレームを使用する）。これは、光学切片画像を得るための画素サンプリングレート約３８．４ＭＨｚに対応していた。１０ｍｓを上回る積分時間についての積分時間の逆数によって与えられるカメラフレームレートを調節し、試料からの信号強度が最適になるようにした。一実施形態で用いられる８ビットのビットプレーンシーケンスの時間は約４．１３５ｍｓであり、特に短い積分時間でのシーケンス時間の整数倍である積分時間を使用して、パターンディスプレイをカメラの積分時間と適切に同期させた。
【００２８】
一実施形態では、システム５０は、分解能約４．２メガピクセル、約２０４８×２０４８画素で、単一フレーム視野（ＦＯＶ）が約１．３ｍｍ×約１．３ｍｍである。一実施形態で用いる特定の対物レンズおよびカメラでは、分解能の制限要因は、試料で約０．６５μｍというカメラの画素サイズである。光学システムの回折限界光学分解能は、一般に受け入れられている式Ｒ＝０．６１λ／ΝΑを用いると約０．７４５μｍである。ここで、本実施形態で用いられる発光用バンドパスフィルターの場合、λ＝約５５０回であった。したがって、ナイキスト基準によって、システムの分解能は回折だけでなくカメラ画素のサイズによっても制限され、１．３μｍまでに制限される。画像化用の対物レンズを拡大倍率がもっと低いまたは高いモデルに変更することで、さまざまな実施形態に対する異なるＦＯＶ対光学分解能比を達成可能である。
【００２９】
図示のシステム５０の一実施形態は、術中検体評価に対して比較的低コストで単純な解決策を提供する。これは、ユーザーによる調節の必要がなく、可動部分は顕微鏡プラットフォーム５２だけであるため、臨床現場で日常的に使用できる丈夫なものである。図示のシステム５０はコンパクトであり、カスタム仕様の実験機器用車輪付きカートにフィットすることになる。光効率がよく視野の広いイメージング特性がゆえに、このシステムは、すみやかな評価を可能にし、かつ、単に顕微鏡の対物レンズを変更するだけで、広範囲にわたる分解能対カバー範囲比率でのスケール変更が容易である。このシステムは、組織学的な特徴のハイライト用に造影剤として標準的な組織学染料に対する単純な蛍光類似物を利用しており、分子認識に頼ることもなければ、他の分子イメージング用途では一般的である定量感度閾値を設定する必要もない。また、このシステムは、データを組織学的画像の形で提供するが、これは臨床医（primary clinical practitioner）、病理学者、外科医によって十分に理解され、受け入れられる。このex vivoでのイメージングパラダイムは、現行のケアのスタンダードと調和し、有害ではなく、薬剤などの作用剤を患者に投与する必要もない。
【００３０】
噴霧などの適用方法によって新鮮で固定されていない組織に適用可能な、標準的な組織学的染色に対する最適化されたマルチカラー・マルチステイン蛍光類似物を提供するにあたり、図示のシステム５０は、迅速走査システムで組織学的な特徴に対する高い分解能を可能にする。この蛍光組織学手法は、腫瘍縁の評価以外の、サンプリングを永久組織病理学用にするための病理学的検体の迅速スクリーニングにおける用途など、他の用途にも適用できる可能性がある。これらの蛍光類似物は、噴霧、ディッピング、ドリッピング、ポーリングまたは他の適用技術によって、術中に切開された組織に適用可能であって、組織学的細部の画像の取得を可能にするが、これは従来なら重労働の物理的薄切化および染色技術を用いてのみ可能であった。
【００３１】
一実施形態では、最適化された染料を使用して、組織試料を準備することが可能である。たとえば、アクリジンオレンジ、アクリフラビン、プロフラビン、ミョウバン−テトラサイクリン、プリムリンを含む、ヘマトキシリン類似物などのカチオン染料溶液は、酸性から中性のｐＨに調節可能であり、エオシンまたはエオシン類似物などのアニオン染料溶液は、塩基性から中性のｐＨに調節されてもよい。最適な配合は、核、細胞質または細胞間質の選択性と染色強度との間のバランスを提供する。蛍光強度はおそらく放物線状の挙動に従い、この場合、濃度が上昇して組織が染料飽和すると最大発光強度となるが、自己消光効果またはインナーフィルター効果が蛍光放出を抑えるほどには濃縮しない。
【００３２】
これらの最適化された染料を使用する場合、システムは、デュアル波長同時イメージング用に追加のカメラを含んでもよい。検出アーム上のダイクロイックスプリッターを用いて２つの最適なフルオロフォアの発光バンドを分離し、これらをカメラに向かわせることが可能である。２種類の別個の励起波長を用いるのであれば、２つのＬＥＤを合成するダイクロイックコンバイナーを、マルチバンドダイクロイックコンポーネントと併用して、組織に同時に光を照射してもよい。本発明者は、２つのカメラを用いる解決策は、迅速画像化を容易にするには現状では単一カメラ構成よりも好ましいことを見いだしたが、適当なフィルターを併用してデュアル波長イメージングに単一カメラ構成を用いることもできるのは、理解できるであろう。
【００３３】
最後に、一実施形態において、システム制御部８０は、大きな画像を遠隔地で閲覧するために、ウェブベースのストリーミング／拡大ツールを含んでもよい。このツールは、「画像ピラミッド」と呼ばれる多分解能バージョンのモザイク画像を含んでもよい。これは、画像の効率的な閲覧と診断に利用できる。なぜなら、大きさが２５ギガバイトを超える全分解能の生画像を用いることは、実用的ではないからである。
【実施例】
【００３４】
本発明者らは、固体ファントムを利用して、例示的なシステムのパフォーマンスメトリックスを試験し、特徴付けた。システムの軸応答を試験するために、１μｍの蛍光ポリスチレンビーズのドロップレットを培養皿のカバーガラスの底に塗布し、ポリ（ジメチルシロキサン）（ＰＤＭＳ）などの光学的に透明なポリマーの層で覆った。本明細書では、これをファントムＡと呼ぶ。蛍光染色した細胞核の組織表面における画像化をシミュレートするために、１０μｍの蛍光ビーズをカバーガラスに塗布し、ＴｉＯ2粉末と混合したＰＤＭＳの層で覆って、組織の散乱（換算散乱係数μs約２０ｃｍ-1）をシミュレートした。本明細書では、これをファントムＢと呼ぶ。
【００３５】
画像化した試料が臨床的に有用なものであることを保証するために、本発明者らは、図１および図２に示す構造化照明顕微鏡観察法システム用に使われる空間光パターンに対して、最適なパラメーターをどのように選択できるかを決定した。たとえば、本発明者らは、ＳＩＭシステムの効果的な光学切片厚を実験的に決定した。この目的のために、ファントムＡを対物レンズに向けて軸方向に平行移動させ、１０μｍのステップごとに構造化照明を用いて切片画像を取得した。切片画像内の着目領域（ＲＯＩ）からの平均蛍光強度を軸方向の深さに対してプロットし、システムの切片厚を決定した。
【００３６】
図３は、図２に示すシステムの軸応答の半値全幅（ＦＷＨＭ）の実測値および理論値を、ファントムＡを用いて測定された正規化空間周波数の関数として取ったプロット１００を示す。垂直軸１０２はＦＷＨＭを表し、水平軸１０４は、正規化空間周波数すなわち
0006416887.tif 000004
を表す。それぞれのパターン周波数について、周波数に応じて約１〜３μｍのインクリメントで顕微鏡の対物レンズで試料をスキャンし、それぞれのｚ面で構造化照明顕微鏡観察法の画像を取得した。回折限界以下のポリスチレンビーズのスメアを含む着目領域（ＲＯＩ）の強度を平均し、平均強度ｖｓ．ｚ位置をプロットすることで、システムの軸応答を決定した。
【００３７】
チャートから分かるように、格子パターン空間周波数が増すにつれて光学切片厚は減少し、軸応答の実測値と理論値との間には、かなり良好な呼応がある。本発明者は、約０．１７を上回る正規化空間周波数を用いても、光学的な薄切化能の増加が少なく、ＳＮＲの減少によって重み付けされすぎることもあるため、ほとんど利益がないと判断した。インコヒーレントＳＩＭの場合、最適な正規化空間周波数は０．１前後と低めであり、これを超えると光学切片厚はほとんど増加しない。インコヒーレントＳＩＭには、特定の正規化空間周波数での光学切片厚がコヒーレントＳＩＭの場合よりも小さく、同一の光学薄切作用を得るのに高めのＳＮＲで低めのパターン周波数が可能になるという利点がある。
【００３８】
また、一定の照明パターン周波数範囲で、散乱特性の異なるファントム範囲の各々について切片厚を測定した。式３として以下に示すStokseth近似が、有効な理論光学切片厚値を与えることも見いだされた。
【数３】
0006416887.tif 000005
ここで、
0006416887.tif 000006
であり、
Ｉ（ｕ）は光学薄切化軸応答、ＪIは第１種類ベッセル関数、νは格子周波数、
0006416887.tif 000007
は正規化格子周波数、λは発光波長、ｎ  ｓｉｎ（α）は対物レンズのＮＡ、ｚは実際の軸方向距離、ｕは正規化された軸方向距離である。
【００３９】
次に、本発明者は、画像化用の適切な周波数の選択を補助するために、切片厚と照明周波数との関係を決定した。式２において上述したような変調深度ｍは、試料に投射される正弦照明パターンの振幅を表す量である。切片画像における受光蛍光の強度Ｉsは、インフォーカス蛍光ｆ（ｘ，ｙ）の関数として説明可能であり、変調深度は、以下のとおりである。
【数４】
0006416887.tif 000008
【００４０】
得られる切片画像の信号ＩSは、主にインフォーカス蛍光ｆ（ｘ，ｙ）によって説明されることがわかる。しかしながら、この式には、変調深度ｍに依存し、従ってスケールｆ（ｘ，ｙ）に依存する係数が表れている。また、変調深度は、対物レンズのインコヒーレント光学伝達関数の形での自然崩壊がゆえに、空間周波数とともに減少する。変調深度は、式１で説明したような３枚の位相シフト画像Ｉ1、Ｉ2、Ｉ3を使用して、以下のように画素ごとに測定可能である。
【数５】
0006416887.tif 000009
ここで、
0006416887.tif 000010
である。
【００４１】
特定の画像内の各画素における変調深度ｍ（ｘ，ｙ）を測定可能であり、各画像における特定の着目領域での変調深度を表すように、中央値を選択できる。この中央変調深度を、光学切片厚を特徴付けるのに用いたのと同じ蛍光ファントム上の試料位置および同じ着目領域を使用して、一定範囲の周波数について測定した。ファントムは、単に試料面でインフォーカスに配置し、複数の照明周波数で３枚の位相シフト画像を取得した。本発明者は、変調深度と回復される信号は比例関係にあり、信号対雑音比と変調深度は反比例関係にあるため、十分な変調深度と光学切片厚の両方が得られる照明周波数を選択して、臨床的に有用な結果を生成することを見いだした。切片画像の信号対雑音比は画像の品質を示す定量的な測定値であり、これは、以下のとおり変調深度に直接影響される。
【数６】
0006416887.tif 000011
【数７】
0006416887.tif 000012
ここで、
0006416887.tif 000013
である。
【００４２】
Ｉwは、３枚の位相シフト構造化照明画像から再構成される従来の広視野画像を表す。切片画像ＩSは、式１を用いて計算する。式７に示されるように、変調深度は、切片画像のＳＮＲに直接的に影響する。本発明者は、複数の周波数で、光学切片厚の測定値、変調深度、対応するＳＮＲを特徴付け、これらのパラメーターの中で最適なバランスを与えた単一の照明周波数を選択することへの洞察を得た。
【００４３】
画像については、直径１０μｍの蛍光スフェアの単一の層からなるファントムで取得した。これらのスフェアをＰＤＭＳおよびＴｉＯ２に包埋したが、これにより、周辺の媒体に生物学的に関連のある換算散乱係数値（μｓ＝１０ｃｍ−１）を与え、バックグラウンド蛍光を導入した。各画素を画像内の最大強度で割ることで、それぞれの画像を正規化した。これらの画像は、均一な照明の場合と比較して、構造化照明で見られる改善を明らかに示している。これらの画像を取得するために選択した具体的な照明周波数は、３１．７μｍであった。両方の画像でコントラスト比を直接計算したところ、定量的に大幅な改善が認められた。すなわち、均一な画像と比較して切片画像のほうが８３０％大きかった。
【００４４】
散乱係数が単位ｃｍ-1で０、１０、２０である３つのファントムと、上述した方法を使用して、複数の照明周波数各々についての光学薄切化強度を測定した。具体的には、４×の対物レンズの場合、試料面での絶対照明周波数は、単位ｍｍ-1で１０１、６７、５０．３、４７．７、４０．７、３１．７、２４．１、１９．６を含んでいた。２×の対物レンズの場合、周波数は、２５．１、１６．７、１２．５、１０．２を含んでいた。両方のレンズの開口数は０．１であった。照明空間周波数が増加するにつれて光学切片厚が非線形関係で減少することが明らかになった。Studentのｔ検定を用いたデータの統計分析では、散乱レベルに有意差は認められなかった。実測光学切片厚データを、式３に示すような光学伝達関数に対するStokseth近似を用いて取得した理論値と比較した。変数ν＝１９．６ｍｍ-1、λ＝５２０ｎｍ、ＮＡ＝０．１を用いると、単軸走査の実測データは、Stokseth近似とうまく整合した。実測光学切片厚は、Stokseth近似を用いて計算した理論光学切片厚との間で高い整合性を示した。
【００４５】
光学切片厚の周波数依存性を決定した後、本発明者は、各照明周波数での変調深度を測定した。すべての照明周波数について、同一のレーザー照明出力および電荷結合素子積分時間を使用して、各周波数に対する２つの別々のファントムでの実測変調深度（μs＝０および１０ｃｍ-1）を、各画像における同一のＲＯＩの中央値として計算した。同一の試料位置での１０枚の画像の変調深度の標準偏差を計算することで、エラーバーを生成した。これらのデータから、変調深度と照明周波数との間には反比例の関係があることが明らかであった。また、非散乱ファントムと比較して、散乱係数は１０ｃｍ-1で、すべての周波数でファントムに変調深度の大幅な低下が認められた。
【００４６】
図４は、均一な信号対雑音比（ＳＮＲ）と区間ＳＮＲとの比を、変調深度に対して取ったプロット１１０を示す。この比は、垂直軸１１２によって表され、標準的な広視野顕微鏡観察法と比較した場合の構造化照明顕微鏡観察法のＳＮＲの低下を示している。プロット１００の水平軸１１４は、変調深度を表す。プロット１００から分かるように、この比は変調深度が増すにつれて低下し、変調深度が低めの場合よりも変調深度が高めの場合のほうがＳＮＲの悪化が少ないことを示している。
【００４７】
システムの画像化速度と得られる信号対バックグラウンド比（ＳＢＲ）を、ファントムＢを用いて測定した。約２６．９、約１３．３、約６．７、および約３．３ＨｚのＳＩＭイメージングレートにそれぞれ対応する、積分時間約１２．４ｍｓ、約２５ｍｓ、約５０ｍｓ、約１００ｍｓを使用して、ＳＩＭモードで、ファントムの単一の領域を画像化した。比較のために、対応する非ＳＩＭ画像を収集した。それぞれの積分時間について１０枚の連続画像を取得した。ビーズを含む画像着目領域（ＲＯＩ）の強度を平均し、ビーズのない同一サイズにしたＲＯＩの平均強度で割ることで、単一の画像のＳＢＲを測定した。同じＲＯＩを用いて、１０枚の連続画像についてＳＢＲの標準偏差および平均を計算した。画像化の前にサイエンティフィックＣＭＯＳ検出器を飽和させることなく、利用できる最大の信号を得るために、ＬＥＤ出力を調節した。また、ファントムのモザイクを得た。
【００４８】
一連のファントム画像から、信号対バックグラウンド比（ＳＢＲ）を画像化速度に対する関数として計算した。一実施形態からのこれらの画像におけるＳＩＭには、約０．０５の正規化パターン空間周波数を使用した。図５は、ファントムＢの２枚の画像１２２および１２４を示す。第１の画像１２２では、ＳＩＭを使用せずに８０．６フレーム／秒（ｆｐｓ）でファントムを画像化する。第２の画像１２４では、式１に関連して上述したような異なる空間パターンを表す３枚の構成画像から各フレームを形成して、２６．９有効ｆｐｓでファントムを画像化した。ＳＩＭ画像１２４を用いると、コントラストと分解能が大幅に増加することは、理解できるであろう。図６は、類似のフレームレートを用いた場合における、垂直軸１３２で表される、ＳＩＭ画像におけるＳＢＲの増加を示す棒グラフ１３０である。ＳＩＭ画像１２４のＳＢＲは、非ＳＩＭ画像１２２のＳＢＲよりもかなり高く、ＳＩＭによる光学薄切化によるコントラストの改善を示していることは、理解できるであろう。
【００４９】
図１〜図６で上述した構造的な特徴および機能的な特徴に鑑みて、例としての方法が、図７を参照してより一層理解されよう。説明を簡単にするために、図７の方法は順に実行するよう図示して説明されているが、本発明は図示の順序に限定されるものではなく、他の例ではいくつかの行為が本明細書に図示して説明したものとは異なる順番で生じる、および／または同時に生じることもあり得ることは理解され、また、理解できるであろう。
【００５０】
図７は、医療処置の間に採取された組織試料を迅速に評価するための方法１５０を示す。１５２では、組織が照明下で蛍光を発するように、組織試料を準備する。一実施形態では、組織試料の準備は、患者から採取した組織試料に蛍光色素を適用することを含む。蛍光色素は、たとえば、噴霧、ドリッピング、ディッピングまたはポーリングによって、アクリフラビン、アクリジンオレンジ、ミョウバン−テトラサイクリン、エオシン、ＤＲＡＱ５（商標）、ピクリン酸、酸フクシンを含む群から選択可能である。もうひとつの実施形態では、組織試料の準備は、組織を強調する非毒性蛍光造影剤を患者に投与して、採取後またはその場で組織を画像化することを含む。さらに別の用途では、蛍光色素を組織試料に適用することは、マルチカラー・マルチステインプロセスの一部として、上記の群から選択される少なくとも２種類の染料を適用することを含む。１５４では、空間パターン化された照明を組織試料に投射する。一実施形態では、空間パターン化された照明を組織試料に投射することは、レーザーおよび発光ダイオードのうちの一方で光を発生させ、生じた光を空間光変調器アセンブリで反射させることを含む。
【００５１】
１５６では、試料から放出される蛍光を、医療処置の間に画像化する。一実施形態では、ある空間周波数を有する第１の空間パターンと、その空間周波数と第１のパターンに対する関連の位相シフトとを有する複数の他の空間パターンの各々を、あらかじめ定められた順序で組織試料に投射する。それぞれの空間照明パターンの間に試料から放出される蛍光を画像化し、複数の画像を生成する。一実施形態では、複数の画像の各画像それ自体が、組織試料の異なる部分を表す複数の個々の画像の複合画像すなわちモザイクを表すことができる。たとえば、複数の画像のうちの１つを捕捉するために、試料と、イメージングシステムの少なくとも一部、たとえば対物レンズなどを、第１の相対位置に配置でき、試料の第１の位置から放出される蛍光を表す第１の成分画像を捕捉可能である。試料またはシステムの一部のいずれかを動かすことで、試料とイメージングシステムを、第２の相対位置に配置できる。組織試料の第２の位置から放出される蛍光を表す第２の成分画像を捕捉可能である。試料のすべての部分が適切に表されるまで、これを繰り返せばよい。その後、さまざまな成分画像を組み合わせ、複数の画像のうちの１つを提供することができる。
【００５２】
１５８では、人間が理解できて臨床的に有用な出力を提供する。一実施形態では、この出力は、臨床画像を生成するための、１５６で説明したような異なる位相シフトで取得された、いくつかの光学切片画像の合成である。たとえば、連続したｎ枚の画像のうちのｉ番目の画像に対する空間照明パターンの位相シフトを２π（ｉ−１）／ｎにすることが可能である。こうすることで、臨床画像の特定の画素の強度Ｉsを対応する画素Ｉの組み合わせによって以下のように表すことができるように画像を組み合わせることができる。
【数８】
0006416887.tif 000014
【００５３】
もうひとつの実施形態では、画像内の細胞核などの小さな構造を分離して明確にするために、複数の画像から形成される光学切片画像または臨床画像が、これに適用される高域通過フィルターを有する場合に、臨床的に有用な出力が提供される。さらに別の実施形態では、光学片画像および臨床画像の一方を自動画像分類アルゴリズムに供し、組織全体または組織の一部を分類することが可能である。たとえば、分類アルゴリズムは、細胞核の密度などの１つ以上の分類用の特徴に従って、試料内の健康な組織と疾患のある組織の領域を特定できる。
【００５４】
図８は、図１および図２に示す構造化照明顕微鏡観察法システムなど、図１〜図７で説明したシステムおよび方法の例を実現できる、ハードウェアコンポーネントの例示的なシステム２００を示す概略ブロック図である。システム２００は、さまざまなシステムおよびサブシステムを含んでもよい。システム２００は、パーソナルコンピューター、ラップトップコンピューター、ワークステーション、コンピューターシステム、電化製品、特定用途向け集積回路（ＡＳＩＣ）、サーバー、サーバーブレードセンター、サーバーファームなどであってもよい。
【００５５】
システム２００は、システムバス２０２、処理装置２０４、システムメモリー２０６、メモリーデバイス２０８および２１０、通信インターフェース２１２（たとえば、ネットワークインターフェース）、通信リンク２１４、ディスプレイ２１６（たとえば、ビデオスクリーン）、入力装置２１８（たとえば、キーボードおよび／またはマウス）を含んでもよい。システムバス２０２は、処理装置２０４およびシステムメモリー２０６と通信できる状態にあってもよい。ハードディスクドライブ、サーバー、スタンドアロンのデータベースまたは他の不揮発性メモリーなどの追加のメモリーデバイス２０８および２１０も、システムバス２０２と通信できる状態にあってもよい。システムバス２０２は、処理装置２０４、メモリーデバイス２０６〜２１０、通信インターフェース２１２、ディスプレイ２１６、入力装置２１８を相互に接続する。いくつかの例では、システムバス２０２は、ユニバーサルシリアルバス（ＵＳＢ）ポートなどの追加のポート（図示せず）も相互に接続する。
【００５６】
処理装置２０４は、コンピューティングデバイスであってもよく、特定用途向け集積回路（ＡＳＩＣ）を含んでもよい。処理装置２０４は、本明細書に開示される例の動作を実現するための一組の命令を実行する。処理装置は、プロセシングコアを含んでもよい。
【００５７】
追加のメモリーデバイス２０６、２０８、２１０は、データ、プログラム、命令、テキスト形式またはコンパイルされた形式でのデータベースクエリー、コンピューターを動作させるのに必要となり得る他の任意の情報を格納可能である。メモリー２０６、２０８、２１０は、メモリーカード、ディスクドライブ、コンパクトディスク（ＣＤ）またはネットワーク経由でアクセス可能なサーバーなど、（一体化されている、またはリムーバブルな）コンピューター読み取り可能な媒体として実現可能である。特定の例では、メモリー２０６、２０８、２１０は、文字列、画像、映像および／または音響を含んでもよく、その一部が、人間が理解できるフォーマットで利用可能であってもよい。
【００５８】
上記に加えてまたは上記に代えて、システム２００は、システムバス２０２および通信リンク２１４と通信可能な通信インターフェース２１２を介して、外部のデータソースまたはクエリーソースにアクセスできる。
【００５９】
動作時、システム２００を利用して、システム制御部１８など、本発明によるイメージングシステムの１つ以上の部分を実現してもよい。イメージングシステムの一部を実現するためのコンピューターで実行可能なロジックが、特定の例によるシステムメモリー２０６およびメモリーデバイス２０８、２１０のうちの１つ以上に常駐している。処理装置２０４は、システムメモリー２０６およびメモリーデバイス２０８および２１０から送出される１つ以上のコンピューターで実行可能な命令を実行する。「コンピューター読み取り可能な媒体」という用語は、本明細書で使用する場合、命令を実行するために処理装置２０４に提供することに関係する１つ以上の媒体をいう。よって、コンピューター読み取り可能な媒体は非一過性であり、たとえば１つ以上のローカルバスまたはネットワーク接続を介して処理装置と作動的に接続された複数の別々の媒体を含んでもよいことは、理解できるであろう。
【００６０】
上記にて説明してきたものは、本発明の例である。もちろん、本発明を説明する目的で、構成要素または方法の考えられるあらゆる組み合わせを説明するのは不可能であるが、本発明のさらに別の多くの組み合わせや入れ替えが可能であることは、当業者であれば認識するであろう。以下に図示して説明する本発明の特定の新規な特徴は、添付の特許請求の範囲に記載されているが、本発明の意図から何ら逸脱することなく、ここに図示した本発明の形態および詳細ならびに、その動作に対するさまざまな削除、改変、置き換え、変更をなし得ることを、関連技術分野の当業者であれば理解できるため、本発明はここに明記された詳細な内容に限定されることを意図したものではない。よって、本発明は、添付の特許請求の範囲の範囲内に包含されるこのような変更、改変、バリエーションのすべてを包含することを意図している。本発明のいずれの特徴も、「不可欠」または「必須」であると明示されている場合を除いて、不可欠または必須のものではない。
【００６１】
関連出願
本出願は、２０１３年５月１５日にファイルされた米国仮特許出願第６１／８２３，８１７号ならびに、２０１３年１２月２０日にファイルされた米国仮特許出願第６１／９１９，４３４号の優先権の利益を主張する。ここで、本出願の明細書、特許請求の範囲または図面の要素または一部が、本出願の文章において他に含まれないが、’８１７出願および’４３４出願の一方または両方には完全に含まれている場合、その要素または一部を規則２０．６の目的で本明細書に援用する形で、両出願の内容全体を本明細書に援用する。
【図１】
0006416887.tif 000015
【図２】
0006416887.tif 000016
【図３】
0006416887.tif 000017
【図４】
0006416887.tif 000018
【図５】
0006416887.tif 000019
【図６】
0006416887.tif 000020
【図７】
0006416887.tif 000021
【図８】
0006416887.tif 000022